(57)【要約】【課題】手元保持部の取りまわしが容易で扱い易くて複数の処置具を同時に使用する内視鏡的処置を容易に行うことができ、しかも動作が円滑な内視鏡の付加用処置具案内具を提供すること。【解決手段】処置具挿通路３２ａ，２１が手元保持部３０から可撓管２０に真っ直ぐに貫通配置されると共に、湾曲部２２を遠隔操作する湾曲操作ワイヤ２３の基端を牽引駆動するためのスライド筒体３５と、スライド筒体３５を軸線方向にスライドさせる操作を行うためにスライド筒体３５を囲む位置に配置された操作筒体３８とが手元保持部３０に設けられ、操作筒体３８から内方に向かって周上の複数カ所から内方に突出する係合ピン３７ａをスライド筒体３５の外周面に形成された複数の係合孔３５ｂに各々係合させて、操作筒体３８のスライド動作がスライド筒体３５に伝達されるようにした。【選択図】　　　図１
2004008368.tif 000002
【特許請求の範囲】
【請求項１】
略軸線位置に全長にわたって処置具挿通路が設けられた可撓管の基端に手元保持部が連結され、上記可撓管の先端付近に形成された湾曲部が上記手元保持部からの遠隔操作によって屈曲するようにした内視鏡の付加用処置具案内具において、
上記手元保持部が上記可撓管の基端部分に対して真っ直ぐにつながった略筒状に構成されて、上記処置具挿通路が上記手元保持部から上記可撓管に真っ直ぐに貫通配置されると共に、上記湾曲部を遠隔操作する湾曲操作ワイヤの基端を牽引駆動するためのスライド筒体と、上記スライド筒体を軸線方向にスライドさせる操作を行うために上記スライド筒体を囲む位置に配置された操作筒体とが上記手元保持部に設けられ、上記操作筒体から内方に向かって周上の複数カ所から内方に突出する係合ピンを上記スライド筒体の外周面に形成された複数の係合孔に各々係合させて、上記操作筒体のスライド動作が上記スライド筒体に伝達されるようにしたことを特徴とする内視鏡の付加用処置具案内具。
【請求項２】
上記操作部材を待機位置に戻すように付勢する戻しバネが設けられていて、上記操作部材に操作力が加えられていない状態では上記湾曲部が真っ直ぐの状態を保つ請求項１記載の内視鏡の付加用処置具案内具。
【発明の詳細な説明】
【０００１】
【発明の属する技術分野】
この発明は、処置具挿通チャンネルを臨時に増やした状態で内視鏡を使用することができるようにするための内視鏡の付加用処置具案内具に関する。
【０００２】
【従来の技術】
内視鏡には、処置具を挿通するための処置具挿通チャンネルが一本又は二本組み込まれている。
【０００３】
しかし、状況によっては、さらにもう一本の処置具挿通チャンネルを必要とする場合があり、そのような場合には、付加用処置具案内具を内視鏡の挿入部の外面に沿わせて使用する。
【０００４】
そのような内視鏡の付加用処置具案内具には、内視鏡の挿入部の先端付近に設けられている湾曲部と同様の湾曲部が先端付近に設けられていて、手元保持部に配置された操作部材を操作することによって遠隔的に屈曲させることができる。
【０００５】
手元保持部は内視鏡の操作部と同様の構造のものであり、操作レバーを回動操作することによりプーリが回転して湾曲操作ワイヤが牽引されるようになっている。
【０００６】
【発明が解決しようとする課題】
しかし、付加用処置具案内具の手元保持部が内視鏡の操作部と同様の構造になっていると、内視鏡の操作部状のものが二つ並んで同時に操作される状態になるので、その扱いが非常に煩わしい。
【０００７】
そこで本発明は、手元保持部の取りまわしが容易で扱い易くて複数の処置具を同時に使用する内視鏡的処置を容易に行うことができ、しかも動作が円滑な内視鏡の付加用処置具案内具を提供することを目的とする。
【０００８】
【課題を解決するための手段】
上記の目的を達成するため、本発明の内視鏡の付加用処置具案内具は、略軸線位置に全長にわたって処置具挿通路が設けられた可撓管の基端に手元保持部が連結され、可撓管の先端付近に形成された湾曲部が手元保持部からの遠隔操作によって屈曲するようにした内視鏡の付加用処置具案内具において、手元保持部が可撓管の基端部分に対して真っ直ぐにつながった略筒状に構成されて、処置具挿通路が手元保持部から可撓管に真っ直ぐに貫通配置されると共に、湾曲部を遠隔操作する湾曲操作ワイヤの基端を牽引駆動するためのスライド筒体と、スライド筒体を軸線方向にスライドさせる操作を行うためにスライド筒体を囲む位置に配置された操作筒体とが手元保持部に設けられ、操作筒体から内方に向かって周上の複数カ所から内方に突出する係合ピンをスライド筒体の外周面に形成された複数の係合孔に各々係合させて、操作筒体のスライド動作がスライド筒体に伝達されるようにしたものである。
【０００９】
なお、操作部材を待機位置に戻すように付勢する戻しバネが設けられていて、操作部材に操作力が加えられていない状態では湾曲部が真っ直ぐの状態を保つ
ようにすれば操作が容易になる。
【００１０】
【発明の実施の形態】
図面を参照して本発明の実施例を説明する。
図１は、付加用処置具案内具１０の全体構成を示しており、外径寸法が例えば３〜５ｍｍ程度のフレキシブルな可撓管２０内の略軸線位置に、四フッ化エチレン樹脂チューブ等からなる処置具挿通チャンネル２１（処置具挿通路）が全長にわたって挿通配置されている。
【００１１】
可撓管２０の構成は、一般的な内視鏡の挿入部と同様であり、例えば薄いステンレス鋼帯からなる螺旋管の外周に網状管を被覆して、その外面に可撓性の外皮チューブを被覆して構成されている。
【００１２】
可撓管２０の先端近傍部分は、可撓管２０の基端に連結された手元保持部３０からの遠隔操作によって屈曲する湾曲部２２になっており、図２にその部分が拡大して図示されている。
【００１３】
湾曲部２２の構成は、一般的な内視鏡の湾曲部と同様であり、例えばステンレス鋼管製の短筒状の複数の節輪をリベット等で回動自在に連結して構成された湾曲管の外周に網状管を被覆して、その外面にゴム製の外皮チューブを被覆したものである。
【００１４】
この実施例においては、湾曲部２２を屈曲させるための湾曲操作ワイヤ２３は一本だけであり、湾曲操作ワイヤ２３の先端は湾曲部２２の先端部分に係止され、基端は可撓管２０内を通過して手元保持部３０に達している。
【００１５】
可撓管２０内には、湾曲操作ワイヤ２３を進退自在に挿通してガイドする密着巻きのガイドコイル２４が全長にわたって挿通配置されていて、ガイドコイル２４の先端は湾曲部２２の後端部に固着され、ガイドコイル２４の中間部分は、可撓管２０内において固定されずにフリーな状態に配置されている。
【００１６】
湾曲部２２の先端には、処置具挿通チャンネル２１の先端が連結固着された電気絶縁性の例えば樹脂セラミック等からなる円筒状の先端口金２５が取り付けられており、処置具挿通チャンネル２１の内部通路が殆ど段差ない状態で先端口金２５において真っ直ぐに前方に開口している。
【００１７】
処置具挿通チャンネル２１の外周面の少なくとも湾曲部２２内に位置する部分には螺旋溝が連続的に形成されていて、補強用のコイル線がそこに巻き付けられている。なお、可撓管２０内には、上述の各部材以外の内蔵物（例えば光学繊維束等）は挿通されていない。
【００１８】
図３は手元保持部３０を拡大して示しており、可撓管２０の基端に設けられている連結口金２６が略円筒状の筒状本体３１にネジ止め固定され、筒状本体３１に螺合連結されている略円筒状の処置具挿入筒本体３２に、筒状本体３１の軸線位置を真っ直ぐに通過した処置具挿通チャンネル２１の基端が真っ直ぐに接続固着されている。
【００１９】
処置具挿入筒本体３２には、処置具挿通チャンネル２１と真っ直ぐに連通する処置具通過孔３２ａが軸線位置に貫通形成されていて、その突端部分に処置具挿入口金３２ｂが形成され、そこにゴム製の鉗子栓４０が着脱自在に取り付けられている。３４は、処置具挿入筒本体３２に取り付けられている鍔状の操作指掛けである。
【００２０】
筒状本体３１に外接して軸線方向にスライド自在に設けられた短筒状のスライド筒体３５には、湾曲操作ワイヤ２３の基端がロー付け等によって連結固着されている。
【００２１】
なお、図３（及び図１）においては、スライド筒体３５が湾曲操作ワイヤ２３を牽引していない待機状態が右半部に図示され、左半部には、湾曲部２２を屈曲させるようにスライド筒体３５が湾曲操作ワイヤ２３を牽引した状態が図示されている。
【００２２】
スライド筒体３５は、圧縮コイルスプリングからなる戻しバネ３６によって先側に押し出される方向に常時付勢されており、スライド筒体３５に操作力が加えられていない待機状態では、スライド筒体３５は筒状本体３１に形成されたストッパ３１ａに戻しバネ３６の付勢力により当接していて、湾曲部２２が真っ直ぐになっている。
【００２３】
スライド筒体３５には、図３におけるＩＶ−ＩＶ断面を図示する図４及びその部分の分解斜視図である図５に示されるように、湾曲操作ワイヤ２３の基端部が固着されたワイヤ固定部３５ａが部分的に内方に突出している。
【００２４】
そして、そのワイヤ固定部３５ａは、筒状本体３１に軸線と平行方向に形成された直線溝３１ｂ内に緩く係合している。したがって、スライド筒体３５は軸線方向にのみ進退自在であり、スライド筒体３５の進退動作によって湾曲操作ワイヤ２３が軸線方向に駆動される。
【００２５】
スライド筒体３５は、処置具挿入筒本体３２の外面に緩く外装されている略円筒状の操作筒体３８と、３本の連結ピン３７によって連結されている。各連結ピン３７は、操作筒体３８に形成されたネジ孔に螺合する雄ネジ部の先側に係合ピン部３７ａが形成された構成になっている。
【００２６】
そして、操作筒体３８から内方に向かって突出する連結ピン３７の係合ピン部３７ａがスライド筒体３５の外周面に形成された係合孔３５ｂに緩く係合しており、そのような連結ピン３７と係合孔３５ｂとの係合部が同一周上に例えば１２０°間隔で３ヵ所に設けられている。
【００２７】
このような構成により、操作筒体３８の軸線方向へのスライド動作が３本の係合ピン３７を介してスライド筒体３５に偏りなく伝達されるので、スライド筒体３５の倒れやガタつき等による筒状本体３１との間の摺動抵抗の発生が抑制され、操作筒体３８とスライド筒体３５とが一体的に円滑にスライド動作する。
【００２８】
操作筒体３８の外面には鍔状の操作指掛け３８ａが一体に突出形成されており、操作筒体３８がガタ付きなくスライドするように、固定指掛け３４側の部材と嵌合する円筒状の受け筒体３８ｂが操作筒体３８の基端側に螺合連結されている。
【００２９】
このような構成により、図１に矢印Ａで示されるように、手の指で操作指掛け３８ａを固定指掛け３４側に引き寄せれば、それによって湾曲操作ワイヤ２３が牽引されて湾曲部２２が二点鎖線で示されるように屈曲する。
【００３０】
その状態で操作指掛け３８ａから指を離せば、矢印Ｂで示されるように、戻しバネ３６の付勢力により操作指掛け３８ａが待機状態に戻されて、湾曲部２２が真っ直ぐな状態になる。
【００３１】
そして、処置具挿入口金３２ｂを入口として先端口金２５を出口とする処置具挿通路は、処置具挿入筒本体３２に形成されている処置具通過孔３２ａ及び処置具挿通チャンネル２１を経由して全長にわたって付加用処置具案内具１０の略軸線位置に配置されており、処置具通過孔３２ａから真っ直ぐに差し込んだ処置具の先端部分を先端口金２５から真っ直ぐ前方に突出させることができる。
【００３２】
図６は、上記実施例の付加用処置具案内具１０が内視鏡１と組み合わせて使用される際の状態を示しており、内視鏡１には、挿入部２の先端部分に湾曲部２ａが形成されていて、操作部３に配置された湾曲操作ノブ４によって湾曲部２ａが遠隔的に屈曲操作される。
【００３３】
そのような内視鏡１の挿入部２に沿って、付加用処置具案内具１０の可撓管２０を配置させる。二点鎖線で示されるように、内視鏡１の挿入部２と付加用処置具案内具１０の可撓管２０とを同じ挿入案内具１００内に通せば、容易にそのようにすることができる。
【００３４】
このようにして、第１の処置具９１を内視鏡１の処置具挿通チャンネルに通し、第２の処置具９２を付加用処置具案内具１０に通して同時に使用することができ、付加用処置具案内具１０の手元保持部３０は内視鏡１の操作部３と比較して大幅に小型軽量に構成することができ、湾曲部２２を屈曲させるための操作も極めて容易である。
【００３５】
なお、本発明は上記実施例に限定されるものではなく、例えば連結ピン３７と係合孔３５ｂとの係合部は必ずしも同一周上に例えば１２０°間隔で３ヵ所設けなければならないわけではなく、周上の複数カ所に設けられていればよい。ただし、２ヵ所の場合には、略１８０°間隔に設けることが望ましい。
【００３６】
【発明の効果】
本発明によれば、手元保持部の取りまわしが容易で扱い易くて複数の処置具を同時に使用する内視鏡的処置を容易に行うことができ、しかも、操作筒体から内方に向かって周上の複数カ所から内方に突出する係合ピンをスライド筒体の外周面に形成された複数の係合孔に各々係合させて、操作筒体のスライド動作がスライド筒体に伝達されるようにしたので、スライド筒体が倒れやガタつき等による大きな摺動抵抗を受けることなく円滑にスライド動作する。
【図面の簡単な説明】
【図１】本発明の実施例の内視鏡の付加用処置具案内具の全体構成の縦断面図である。
【図２】本発明の実施例の内視鏡の付加用処置具案内具の先端寄りの部分の縦断面図である。
【図３】本発明の実施例の内視鏡の付加用処置具案内具の手元保持部の縦断面図である。
【図４】本発明の実施例の図３におけるＩＶ−ＩＶ断面図である。
【図５】本発明の実施例の図４に示される部分の分解斜視図である。
【図６】本発明の実施例の内視鏡の付加用処置具案内具が内視鏡と組み合わせて使用される状態の外観図である。
【符号の説明】
１０　付加用処置具案内具
２０　可撓管
２１　処置具挿通チャンネル
２２　湾曲部
２３　湾曲操作ワイヤ
２５　先端口金
３０　手元保持部
３１　筒状本体
３２　処置具挿入筒本体
３２ａ　処置具通過孔
３２ｂ　処置具挿入口金
３４　固定指掛け
３５　スライド筒体
３５ｂ　係合孔
３６　戻しバネ
３７　連結ピン
３７ａ　係合ピン部
３８　操作筒体（操作部材）
３８ａ　操作指掛け
【図１】
2004008368.tif 000003
【図２】
2004008368.tif 000004
【図３】
2004008368.tif 000005
【図４】
2004008368.tif 000006
【図５】
2004008368.tif 000007
【図６】
2004008368.tif 000008